(57)【特許請求の範囲】
【請求項１】
正面部と、該正面部と空間を隔ててほぼ平行に対向する背面部と、前記正面部と前記背面部とを連結する上面部と、前記正面部と前記背面部との間に、下側から紙類を挿入するための挿入口とを備えたケースと、
前記ケースの内部に設けられた軸支部において回動可能に軸支され、かつ前記紙類の引き抜き方向へバネ力が付勢された保持片であって、その端部から前記正面部に向かって突出するように刃が設けられた保持片とを備え、
前記刃の先端部を、前記挿入口から挿入された紙類に当接させて紙類を保持するように構成した、ペーパーホルダーであって、
前記背面部は、前記正面部の下側端部よりも下側に長く延びるように形成された延長背面部を備え、
該延長背面部の下側端部から前記紙類の挿入方向へ向けて側面視ほぼ直線状に延びる傾斜面部を備え、
前記軸支部は、前記傾斜面部の内側に設けられ、
前記正面部は透明性を有してなる、
ペーパーホルダー。
【発明の詳細な説明】
【技術分野】
【０００１】
本発明は、同時に複数枚の紙類を容易に挿入して吊り下げ状態に確実に保持することができ、かつ他の紙類が脱落することなく、手前側から1枚ずつ確実に引き抜くことができ、また、引き抜かれた紙には直線状の綺麗な引き裂き跡が残るペーパーホルダーに関する。
【背景技術】
【０００２】
従来、紙類を挟んで固定するために使用するペーパーホルダーとしては各種のものがあるが、その基本構造として、ケースの一方の側に紙類を挿入するための挿入口を有するとともに、ケースの内部に紙類を保持するための保持部材を備えたものが知られている。
そして、本出願人の出願に係る特許文献１には、「底面部を含む台部と、底面部と空間を隔ててほぼ平行に対向する上面部と該上面部の前端に側面視略Ｕ字状をなす前端正面部とを有する上覆部と、が着脱可能に係合し、一体化されて前記前端正面部の下方に紙類の挿入口が形成されるケースと、
該ケース内に設けられた、挿入された紙類を保持するための保持片と、
該保持片に対して前記紙類の引き抜き方向へバネ力を付勢する弾性部材と、
前記保持片に設けられた刃とを備えてなり、
前記保持片は、剛性を有する板状体からなり、前記前端正面部の内側に設けられた軸支部において回動可能に軸支され、前記軸支部から前記底面部側へ延びる基板部を備え、
前記刃は、前記保持片に対して刃の垂直な起立状態を保持する刃固定部材に固定され、
該刃固定部材は、前記基板部の紙類挿入方向側の面に、刃の先端部が前記基板部の前記底面部側の端部から突出するように設けられ、
前記底面部の内面に、挿入された紙類の脱落を防止するための摩擦部を備えた、ペーパーホルダー。」が記載されている。
【０００３】
特許文献１に記載のペーパーホルダーによれば、「紙類は確実に保持され、保持された紙を上から１枚ずつ確実に引き抜くことができる。そして、引き抜かれた紙には刃による直線状の綺麗な引き裂き跡が残り、塵が発生しにくい。」といった効果が奏される。
【先行技術文献】
【特許文献】
【０００４】
【特許文献１】特開２０１１−１３１５０２号公報
【発明の概要】
【発明が解決しようとする課題】
【０００５】
本発明は上記特許文献１に記載のペーパーホルダーを改良したもので、生産工場、輸送等の商業活動、事務所等の業務スペースにおいて、複数枚の紙を吊るした状態で確実に保持し、使用するのに適し、かつ、保持された紙類は視認しやすく、使い勝手がより優れるペーパーホルダーを提供することを課題とする。
【課題を解決するための手段】
【０００６】
正面部と、該正面部と空間を隔ててほぼ平行に対向する背面部と、前記正面部と前記背面部とを連結する上面部と、前記正面部と前記背面部との間に、下側から紙類を挿入するための挿入口とを備えたケースと、
前記ケースの内部に設けられた軸支部において回動可能に軸支され、かつ前記紙類の引き抜き方向へバネ力が付勢された保持片であって、その端部から前記正面部に向かって突出するように刃が設けられた保持片とを備え、
前記刃の先端部を、前記挿入口から挿入された紙類に当接させて紙類を保持するように構成した、ペーパーホルダーであって、
前記背面部は、前記正面部の下側端部よりも下側に長く延びるように形成された延長背面部を備え、
該延長背面部の下側端部から前記紙類の挿入方向へ向けて側面視ほぼ直線状に延びる傾斜面部を備え、
前記軸支部は、前記傾斜面部の内側に設けられ、
前記正面部は透明性を有してなる、ペーパーホルダーである。
【発明の効果】
【０００７】
本発明によれば、生産工場、輸送等の商業活動、事務所等の業務スペースにおいて、紙類を吊るした状態で確実に保持することができる。
挿入口から挿入された紙類は、保持片に作用する弾性部材のバネ力によって、刃の先端部を挿入された紙類に突き刺した状態で、確実に保持され、保持された紙を手前側（正面部側）から１枚ずつ確実に引き抜くことができ、引き抜かれた紙には直線状の綺麗な引き裂き跡が残り、塵が発生しにくい。
また、背面部は、正面部の下側端部よりも下側に長く延びるように形成された延長背面部を備え、該延長背面部の下側端部から紙類の挿入方向へ向けて側面視ほぼ直線状に延びる傾斜面部を備えているため、紙類を挿入する際、紙類は円滑、確実に挿入口へと誘導され、使い勝手が優れる。
そして、正面部は透明性を有しており、複数の紙のうち、引き抜く順序が一番最初となる手前側（正面部側）となる紙と正面部との間には、保持片その他の部材が何ら介在していないため、保持された一番手前側の紙類の全面を、正面部を通して視認することができるため、使い勝手が優れる。
【図面の簡単な説明】
【０００８】
【図１】ペーパーホルダー１の側面図である。
【図２】ペーパーホルダー１の斜視図である。
【図３】保持片２０及び軸支部１５を示す斜視図である。
【図４】弾性部材３０の平面図である。
【図５】刃４０の側面図である。
【図６】刃固定部材５０の斜視図である。
【図７】ペーパーホルダー１の使用状態を示す斜視図である。
【図８】ペーパーホルダー１の動作の説明図である。
【図９】ペーパーホルダー１の動作の説明図である。
【図１０】ペーパーホルダー１の動作の説明図である。
【発明を実施するための形態】
【０００９】
本発明の実施例を挙げ、図面を参照して説明するが、本発明は以下の形態に限定されるものではない。
【実施例】
【００１０】
＜ケース＞
ペーパーホルダー１は、ケース１０と、ケース１０に内装される保持片２０とを備えている。
ケース１０は、正面部１１と、正面部１１と空間を隔ててほぼ平行に対向する背面部１３と、正面部１１と背面部１３とを連結する上面部１２とを備えており、上面部１２は正面部と一体的に連設されており、正面部１１及び上面部１２と、背面部１３という、二種の異なる断面を有する合成樹脂の成形品の組合せからなり、両者は着脱可能に係合し、一体化されるようになっている。そして、正面部１１と背面部１３との間に、下側から紙類を挿入するための挿入口１７とが形成されている。
図２に示すように、背面部１３の両側には、張出し部１３ｅが設けられている。この張出し部１３ｅは、後述するように、板材等にペーパーホルダー１を取り付けて使用する際の取付部として機能する。
ケース１０の大きさは、限定されないが、一例として、正面方向から見て、その高さは３〜６ｃｍ程度、奥行きは２〜３ｃｍ程度、幅は４ｃｍ〜７ｃｍ（背面部１３の張出し部を含む。）程度のものが挙げられる。
上面部１２と、背面部１３の上部とが係止されて、両者が結合してケース１０を形成している。
上面部１２の内面には、背面部１３側にある鉤状部１２ａからやや距離をおいて前後二段に突出した突出片１２ｂ，１２ｃが形成されており、その先端の係止部１２ｄ，１２ｅと、背面部１３の上部の内面に前後二段に形成された係止部１３ａ，１３ｂとが互いに係止されて、一体化されている。
ケース１０は、硬質の合成樹脂材からなり、正面部１１と、該正面部１１の上端に連設されて上面部１２とが一体成形されたピースと、上面部１２に形成された係止部１２ｄ，１２ｅと着脱可能に係止されて一体化される背面部１３とで構成されており、正面部１１を背面部１３に対し、横方向にスライドさせることにより、分離可能である。
そして、ケース１０の少なくとも正面部１１は透明性を有しており、正面部１１の内側を視認することができる。
【００１１】
背面部１３は、正面部１１の下側端部１１ａよりも下側に長く延びるように形成された延長背面部１３ｃを備えている。図中、背面部１３の長さｈ１から正面部１１の長さｈ２を差し引いた長さｈ３の領域が延長背面部１３ｃである。
そして、該延長背面部１３ｃの下側端部から、側面視ほぼＶ字状に、紙類の挿入方向（ケース１０の上方）へ向けて側面視ほぼ直線状に延びる傾斜面部１４が形成されている。傾斜面部１４の上方端部１４ａと正面部１１との間に紙類の挿入口１７が形成されている。
傾斜面部１４の上方端部１４ａ寄りの内側には、後述する保持片２０が軸支されるための軸支部１５が、傾斜面部１４からその内方空間（背面部１３と傾斜面部１４との間の空間）に突出するように形成されている。軸支部１５は、傾斜面部１４の横幅より短い横幅を有するように形成されており、軸支部１５には、シャフト（図示省略）を挿通可能な孔が横方向（ケースの幅方向）に形成されている（図３参照）。
【００１２】
正面部１１は、その外面が平坦面であるのに対し、正面部１１の内面には、挿入口１７近傍の位置（傾斜面部１４の上方端部１４ａ近傍）から、紙類が未挿入の状態における刃の先端部４３近傍の位置に向けて緩やかな負の勾配（手前側への勾配）となる前方斜面部１１ｂと、紙類が未挿入の状態における刃の先端部４３近傍の位置から、紙類の挿入方向に向けて緩やかな正の勾配（背面側への勾配）となる後方斜面部１１ｃとが形成されている。前方斜面部１１ｂの下方側は前方斜面部１１ｂの頂部から緩やかな負の勾配となる斜面部１１ｄが形成されている。
前方斜面部１１ｂ及び後方斜面部１１ｃの各勾配（傾斜角）は６〜２０°、前方斜面部１１ｂ及び後方斜面部１１ｃそれぞれの高低差（紙類が未挿入の状態における刃の先端部４３が位置する正面部１１の内面のレベルを基準とした各斜面部頂部までの高さ）は０．８〜３ｍｍ、さらには、前方斜面部１１ｂ及び後方斜面部１１ｃそれぞれの長さは４〜１０ｍｍ、前方斜面部１１ｂの頂部と後方斜面部１１ｃの頂部との間の長さは１２〜２２ｍｍの範囲が、紙類の挿入のし易さと脱落のしにくさの二点の両立をより的確にする観点から好ましい。
前方斜面部１１ｂと後方斜面部１１ｃを形成することによって、正面部１１の内面に、側面視、全体として緩やかな湾曲を呈する凹部が形成され、前方斜面部１１ｂの頂部と後方斜面部１１ｃの頂部との間（中間部）に、刃の先端部４３が位置している。前方斜面部１１ｂと後方斜面部１１ｃは側面視、直線状のほか、緩やかな曲線で弓なり又は弧状となるように形成してもよい。刃の先端部４３が位置する、前方斜面部１１ｂと後方斜面部１１ｃとの間に形成された、正面部側に向けての凹部は、刃の先端部４３の動作に支障を来たさないためのものである。
【００１３】
傾斜面部１４の上方端部１４ａは、前方斜面部１１ｂとほぼ平行に形成され、側面視、紙類の挿入口１７が、紙類が未挿入の状態における刃の先端部４３近傍の位置に向けて斜状に延びる通路として形成されている。この通路が紙類をケース１０の内部へ挿入する際、紙類を誘導する通路となる。傾斜面部１４の上端における、紙類挿入方向側の先端部１４ｂは後述する保持片２０の基板部２１の紙類引き抜き方向への動きを規制するストッパーとして機能する。
【００１４】
＜保持片＞
保持片２０は、ケース１０の内部に設けられた軸支部１５において回動可能に軸支されており、かつ紙類の引き抜き方向へ弾性部材３０によってバネ力が付勢されている。そして、該保持片２０には、その端部（正面部側の端部）から刃４０の先端部４３が正面部１１に向かって突出するように刃４０が設けられている。
保持片２０は、例えば、図３に示すように、折り曲げ加工された、所要の剛性を有する板状体からなり、傾斜面部１４の内側に設けられた軸支部１５において回動可能に軸支され、軸支部１５から正面部１１側へ延びる基板部２１を備えている。
保持片２０は、剛性を有する板状体からなるため、板状体の加工等により簡単に製作できる。保持片２０は、例えば、厚さ０．１〜０．３ｍｍ程度のＳＫ材、ステンレス鋼材等の金属板で形成し得る。保持片２０の横幅は、一例として２〜４ｃｍ程度である。
保持片２０は、側面視略くの字状に屈曲され、基板部２１に連なる取付け面部２２を備え、基板部２１と取付け面部２２とがアール状に交わる屈曲部近傍において軸支部１５に軸支されている。
保持片２０は、傾斜面部１４の内側に設けられた軸支部１５において回動可能に軸支され、軸支部１５から正面部１１側へ延びる基板部２１を備えているため、正面部１１と背面部１３とに形成される空間を最大限に有効に利用して保持片２０が配置されており、物品の大型化を招くことがなく、また、限られた狭い空間内で保持片２０（及び刃）の回動半径を大きくとることができ、紙類の挿入、引き抜きに際し、保持片２０の円滑で安定した動作が確保される。
【００１５】
図３に示すとおり、保持片２０の取付け面部２２の両端部は、直角に折り曲げられ、シャフトを通すための軸挿入孔２２ａを有する取付部２２ｂ，２２ｂが形成されている。軸支部１５の左右両端部に取付部２２ｂ，２２ｂを位置させ、シャフト（図示省略）を、軸支部１５の孔及び取付部２２ｂの軸挿入孔２２ａを貫通させ、適宜止め具（例えば、シリコンゴム等の弾性筒状体等）で止めることにより、保持片２０が軸支部１５に軸支されるようになっている。したがって、保持片２０はケース１０に対し着脱可能である。
【００１６】
また、保持片２０の基板部２１の端部（正面部側）は、紙類の挿入方向側に向けて折り曲げられて折り曲げ部２６を形成しており、さらには後述する刃固定部材５０を所定位置（縦方向）にセットするための係止部２７が連設されている。該係止部２７を後述する刃固定部材５０に係止して固定する。
また、保持片２０の基板部２１の左右両端には、後述する刃固定部材５０を所定位置（横方向）にセットするための係止部２８が連設されている。
折り曲げ部２６の幅方向の中央部には刃固定部材５０に固定された刃が挿通するスリット２６ａが形成されている。折り曲げ部２６及び係止部２７は、後述する刃固定部材５０の縦方向の位置決め部となり、スリット２６ａ及び係止部２８は、刃４０が設けられた刃固定部材５０の横方向の位置決め部となる。スリット２６ａを通って、基板部２１の底面部側の端部から刃４０の先端部４３が突出する。
【００１７】
＜弾性部材＞
弾性部材３０は、保持片２０に対して紙類の引き抜き方向へバネ力を付勢する。
本実施例では、図１，４に示すようにコイルばねを用いている。コイルばね３０の線材の両端は接線方向に突出しており、その一方端部が後述する刃固定部材５０に設けた孔に差し込まれるとともに、他方端部が背面部１３の内面に当接しており、これにより、保持片２０に対してバネ力が付勢されるようにしている。
【００１８】
＜刃＞
刃４０は、カッターナイフの刃に使われる炭素工具鋼（ＳＫ）など、鋼製のものが好適に用いられる。その厚さは、通常、０．３〜１．２ｍｍ程度である。
図５に示すように、刃４０は、直線状に延びる背部４１と、該背部４１と交差して鋭角状の刃の先端部（ポイント）４３を形成する刃先（エッジ）４４と、背部４１と対向する位置にある刃元４５（刃先４４の根元）と、この刃元４５の近傍から背部４１に向けて傾斜して伸びる傾斜辺部４６とを有している。この傾斜辺部４６の傾斜角βはほぼ３０〜６０°の範囲である。刃４０の先端部４３の角度は、通常２０〜４０°程度である。刃４０の刃先４４の長さは、一例として５〜１０ｍｍ程度である。
刃４０は、交差して鋭角状の刃の先端部４３を形成する背部４１と刃先４４、と、刃元４５の近傍から背部４１に向けて傾斜して延びるにように形成された傾斜辺部４６とを有する形状であるため、ケース１の狭い内部空間に刃４０が合理的に配置され、刃４０を含む保持片２０の動きがケース１によって干渉されることなく、刃４０及び保持片２０が確実に動作する。
【００１９】
＜刃固定部材＞
刃固定部材５０は、刃４０を固定し、所定位置に保持するとともに、保持片２０の基板部２１に装着される部材である。刃固定部材５０には、刃４０の先端部４３が突出するように刃４０が設けられる。また、刃４０は、基板部２１の面に対して刃４０の垂直な起立状態を保持するように刃固定部材５０に固定される。
図６に示すように、刃固定部材５０は、保持片２０の基板部２１に固定される平面部（底面部）５１を備えたベース部５２と、該ベース部５２から垂直に起立し、刃４０の腹部（平）の両サイドで腹部を保持する、刃４０を収容固定するための起立部５３とを有する。起立部５３は、刃４０の高さに適合する高さを有する。この起立部５３には刃４０の輪郭に沿うスリット５４が形成されており、このスリット５４に刃４０を挿入、固定して、刃４０のベース部５２に対する垂直状態が保持される。刃固定部材５０は、合成樹脂の成形品により構成し得る。
刃固定部材は、保持片２０に固定可能なベース部５２と、該ベース部５２から垂直に起立し、刃の腹部を両サイドで保持する起立部５３とを有するため、刃固定部材５０の構成が簡易であり、製作コストも低廉である。
刃４０は、保持片２０に対して刃の垂直な起立状態を保持する刃固定部材５０に固定され、刃固定部材５０は、基板部２１の紙類挿入方向側の面に、刃４０の先端部が基板部２１の正面部１１側の端部（スリット２６ａ）から突出するように設けられているため、刃は所定の位置、向きに刃固定部材５０によって確実に保持されるとともに、刃固定部材５０を用いた保持片２０に対する取付け、組立てが簡単である。
【００２０】
刃固定部材５０は、ベース部５２の平面部５１において、保持片２０の基板部２１の、紙類挿入方向側の内面に固定される。基板部２１の下端の折り曲げ部２６にベース部５２を合わせて、固定部材５０が固定される。刃４０は、基板部２１の面に対して刃の垂直な起立状態を保持して固定されるとともに、基板部２１のスリット２６ａを通って、正面部１１側の端部から刃４０の先端部４３が突出するように設けられることとなる。刃４０の背部４１は、基板部２１に沿って取り付けられることとなる。
このとき、刃４０は、交差して鋭角状の刃の先端部４３を形成する背部４１と刃先４４と、刃元４５の近傍から背部４１に向けて傾斜して伸びる傾斜辺部４６とを有するため、ケースの狭い内部空間に刃４０が合理的に配置され、基板部２１の動きに伴い刃の動きが支障を来たすことがなく（背部４１に対向する側が背面部１３の係止部１３ａ等に突き当たることがなく）、刃４０を含む保持片２０が確実に動作する。
【００２１】
本実施例では、保持片２０の基板部２１の折り曲げ部２６に連設された係止部２７を係止可能な凹溝部５５がベース部５２の表面に形成されている。この凹溝部５５よりも端部側には、先端が肉薄なテーパー部５６が形成されており、刃固定部材５０の基板部２１への装着がし易いようになっている。
したがって、刃固定部材５０は、保持片２０の基板部２１の所定位置に確実、簡単に装着可能である。
なお、上記のほか、刃固定部材５０の基板部２１への固定は、両面粘着テープ、接着剤、その他の適宜固定手段を用いることができる。
【００２２】
図１，２に示すとおり、ケース１０の正面部１１の、刃４０の先端部４３が位置する近傍には、適宜平面形状の透孔（又は凹部）１１ｅが形成されており、該透孔１１ｅ空間に刃４０の先端部４３が納まる。前記したとおり、傾斜面部１４の上端には、先端部１４ｂが形成されているので、保持片２０の基板部２１の紙類引き抜き方向への動きは、先端部１４ｂがストッパーとなって規制されるため、刃４０の先端部４３は、正面部１１に接触せず、損傷等から保護される。
また、刃４０の背部４１は、保持片２０の基板部２１に沿っており、紙類挿入方向に向けてやや傾斜して配置されているため、紙類の挿入も容易に行われる。
【００２３】
＜設置＞
ペーパーホルダー１の設置方向、設置場所、設置手段は限定されない。ケース１０の裏面（正面部１１の外面）に粘着テープ等を張って、各種壁部に設置することができる。保持すべき紙類のサイズに応じて、ペーパーホルダー１を横長の板体等に横に複数個並べて設置し、使用することもできる。図７に工場等での使用に適した、使用状態の一例を示す。
２個のペーパーホルダー１は、夫々、背面部１３の両側に形成された張出し部１３ｅにおいて板状体６０にビス止め等の手段により固定されている。板状体６０にはハンガー６１が装着されており、該ハンガー６１を適宜箇所に掛止して使用することができる。符号７０は紙類を示す。
【００２４】
＜動作＞
ペーパーホルダー１の動作について、図８〜図１０を参照して説明する。
図８は、紙類７０を挿入口１７から図の矢印に示す方向に挿入した状態を示し、図１０は、挿入した紙類７０の一番手前側の一枚の紙を引き抜く状態を示すものである。
図８に示すように、先ず、適宜複数枚（通常、５〜１０枚程度）の紙類７０を重ねた状態で、挿入口１７からケース１０の内部へ挿入する。すると、紙類７０の前端部は刃４０の背部４１に軽く当り、さらに保持片２０に対する挿入口側への弾性部材３０によるバネ力に抗して挿入を続けると、紙類７０は、より内部へ進入する。この時、保持片２０の基板部２１は、軸支部１５を支点として、図面矢印の方向（挿入方向側）に回動し、保持片２０にかかるバネ力は、刃４０の先端部４３が紙類７０を、正面部１１との間で挟持するように働く。刃４０の先端部４３は、挿入された紙類７０の背面部側に位置する紙に当接し、通常、軽く刺さった状態となる。紙類７０の先端は後方斜面部１１ｃの先まで挿入される。
さらに、このように挿し込んだ後、紙類７０を全体を下方へ若干引く。保持片２０はそれにかかるバネ力と共に引かれた方向へ戻り、図９に示すとおり、元の状態に戻り、紙類７０は、その全体が刃４０の先端部４３に刺された状態で正面部１１との間に保持される。
ここで、前記のとおり、正面部１１の内面には、挿入口１７近傍の位置（傾斜面部１４の上方端部１４ａ）から刃の先端部４３近傍の位置に向けて緩やかな負の勾配となる前方斜面部１１ｂと、刃の先端部４３近傍の位置から、紙類７０の挿入方向に向けて緩やかな正の勾配となる後方斜面部１１ｃとが形成されている。このため、挿入された紙類７０が、図示のように、前方斜面部１１ｂと後方斜面部１１ｃとの間（前方斜面部１１ｂの頂部と後方斜面部１１ｃの頂部との間）において、側面視、下方に膨らむ弓なりに撓むように刃４０の先端部４３の押圧力が働く。それゆえ、複数枚の紙類７０は、上記のような紙類７０の撓みがない場合に比べて各紙葉同士の摩擦抵抗が増大し、全体として、確実に保持される。したがって、ペーパーホルダー１は縦向きに使用される場合が多いところ、そのように縦向きに使用する場合にあって、背面部側や中間に位置する紙が脱落することが防がれる。前方斜面部１１ｂと後方斜面部１１ｃとが存在しない場合では、上記のような紙類７０の撓みは生じないので、紙の脱落が生じやすい。
また、前記のとおり、傾斜面部１４の上端は、前方斜面部１１ｂとほぼ平行に形成され、側面視、紙類の挿入口１７が、紙類が未挿入の状態における刃の先端部４３近傍の位置に向けて斜状に延びる通路として形成されている。このため、紙類をケース１０の内部へ挿入する際、該通路が紙類を背面側から正面側へとやや斜めに誘導する機能を奏し、刃４０の背部４１（及び先端部４３）に対する接触角が小さくなるため、刃４０に対する抵抗が小となり、紙類をスムーズに挿入することができる。また、前方斜面部１１ｂ及び後方斜面部１１ｃは緩やかな勾配に形成されているため、これに沿うように紙類７０は誘導され、スムーズに挿入、引き抜きできる。
さらに、延長背面部１３ｃの下側端部から紙類の挿入方向へ向けて側面視ほぼ直線状に延びる傾斜面部１４が形成され、傾斜面部１４の上方端部１４ａと正面部１１との間に紙類の挿入口１７が形成されているため、紙類７０を挿入する際、紙類７０は円滑、確実に挿入口１７へと誘導される。
【００２５】
一番手前側に位置する紙が不要になった場合、該紙を、図１０に示すように、挿入口１７から矢印に示す方向に引き抜く。この時、刃４０の先端部４３は紙類７０に突き刺さった状態で、一番手前側の紙のみが引き抜かれることになる。すなわち、他の紙は脱落することなく保持されたまま、一番手前の紙のみが引き抜かれる。
ここで、前記のとおり、正面部１１の内面には、挿入口１７近傍の位置（傾斜面部１４の上方端部１４ａ）から刃の先端部４３近傍の位置に向けて緩やかな負の勾配となる前方斜面部１１ｂと、刃の先端部４３近傍の位置から、紙類の挿入方向に向けて緩やかな正の勾配となる後方斜面部１１ｃとが形成されている。このため、紙類７０が、図示のように、前方斜面部１１ｂと後方斜面部１１ｃとの間（前方斜面部１１ｂの頂部と後方斜面部１１ｃの頂部との間）において、側面視、手前側に膨らむ弓なりに撓むように刃４０の先端部４３の押圧力が働く。それゆえ、複数枚の紙類７０は、各紙葉同士の摩擦抵抗が増大し、全体として、確実に保持され、一番上の紙のみを確実に引き抜くことができる。ペーパーホルダー１は縦向きに使用される場合が多いところ、そのように縦向きに使用する場合にあって、背面部側や中間に位置する紙も一緒に脱落することが防がれる。前方斜面部１１ｂと後方斜面部１１ｃとが存在しない場合では、上記のような紙類７０の撓みは生じないので、紙の脱落が生じやすい。
引き抜かれた一番手前側に位置する紙は、刃４０の先端部４３が突き刺さった状態で引き抜かれることになるので、刃４０の先端部４３が突き刺さった接触点を始点として紙の前端側に至る直線状の綺麗な切断線（跡）が形成される。また、後方斜面部１１ｃの存在による紙類の撓みによって、紙類７０を引き抜くときの刃４０の刃先４４との接触角も、後方斜面部１１ｃがない場合に比べて小さくなるので、切断がよりスムーズに行なわれ、綺麗な切断線が得られる。
上記動作を繰り返すことによって、簡単かつ確実に手前側に位置する紙を１枚ずつ引き抜くことができる。
【符号の説明】
【００２６】
１   ペーパーホルダー
１０  ケース
１１  正面部
１２  上面部
１３  背面部
１３ｃ  延長背面部
１４  傾斜面部
１５  軸支部
１７  挿入口
２０  保持片
３０  弾性部材
４０  刃
４３  刃の先端部
７０  紙類
【図１】
0005551199.tif 000002
【図２】
0005551199.tif 000003
【図３】
0005551199.tif 000004
【図４】
0005551199.tif 000005
【図５】
0005551199.tif 000006
【図６】
0005551199.tif 000007
【図７】
0005551199.tif 000008
【図８】
0005551199.tif 000009
【図９】
0005551199.tif 000010
【図１０】
0005551199.tif 000011